(57)【要約】  チューナモジュール１２０あるいは記録媒体メカモジュール１３０で取得したデジタル信号の音データを、キーボードユニット１１０で利用者が設定した音量や音質などに応じてＤＳＰ１４０でデジタル処理する。処理した音データから、Ｉ／Ｆ部１５１でクロック信号およびデータ信号を抽出し、データ信号はビットシフト部１５２にて利用者が設定したノイズの除去割合に応じたシフト量で増幅させる。Ｄ／Ａ変換部１５３でクロック信号に同期してアナログ信号に変換したデータ信号を、アンプ部１５４にあらかじめ設定しているゲインに保持する状態に、ビットシフトによるゲイン分に応じてアンプ部１５４で増幅させる。【特許請求の範囲】
【請求項１】
デジタル信号の情報を取得する情報取得手段と、
情報に基づいてクロック信号を生成するクロック信号生成手段と、
前記取得した情報をビットシフトにより所定の利得で増幅させるビットシフト手段と、
前記クロック信号に同期して前記ビットシフト手段により増幅された前記情報をアナログ信号に変換する信号変換手段と、
前記アナログ信号に変換された情報を所定の利得で増幅させて出力する増幅部と、
前記ビットシフト手段で前記情報をビットシフトにより増幅させた利得分を差し引いた利得で前記増幅部にて前記アナログ信号に変換された情報を増幅させる制御をする制御手段と、
を具備したことを特徴とした増幅装置。
【請求項２】
請求項１に記載の増幅装置であって、
前記増幅部は、出力する前記アナログ信号の情報の増幅する利得分が設定され、
前記制御手段は、前記ビットシフト手段で増幅させた利得分を認識し、この利得分を前記増幅部で増幅して出力させる利得分から差し引いた利得分で、前記増幅部で前記アナログ信号に変換された情報を増幅させる
ことを特徴とした増幅装置。
【請求項３】
請求項１または請求項２に記載の増幅装置であって、
前記制御手段は、出力手段から出力させる前記情報のノイズを除去する割合に関して入力操作により設定された設定信号に基づいて、前記ビットシフト手段で増幅させる利得分を設定して前記ビットシフト手段で増幅させるとともに、このビットシフト手段で増幅させる利得分に基づいて前記増幅部で前記アナログ信号に変換された情報を増幅させる制御をする
ことを特徴とした増幅装置。
【請求項４】
入力操作で設定された出力状態で出力手段からデジタル信号の情報を出力させる情報処理装置であって、
入力操作可能に設けられ入力操作に応じた操作信号を出力する操作手段と、
前記操作信号に対応して前記デジタル信号の情報を処理するデジタル信号処理部と、
このデジタル信号処理部で処理された前記デジタル信号の情報を処理する請求項１ないし請求項３のいずれかに記載の増幅装置と、
を具備したことを特徴とした情報処理装置。
【発明の詳細な説明】
【技術分野】
【０００１】
本発明は、デジタル信号の情報をアナログ信号の状態で出力させる増幅装置および情報処理装置に関する。
【背景技術】
【０００２】
従来、デジタルオーディオ信号などのデジタルデータを処理する各種再生装置が知られている。この再生装置として、例えばＰＬＬ（Phase Locked Loop）回路により、デジタルデータからクロックを抽出し、クロックに同期してデジタルデータを処理している（例えば、特許文献１参照）。【０００３】
この特許文献１に記載のものは、アナログ／デジタル変換器からの８ビットの再生データを、自動ゲインコントロール回路でビットシフトによりデジタル的にゲイン調整している。そして、適宜処理したオーディオデジタルデータをデジタル／アナログ変換器に供給してアナログオーディオ信号に変換し、出力端子に供給している。【０００４】
【特許文献１】特開平５−２３５７５１号公報（第４頁右欄−第９頁右欄）
【発明の開示】
【発明が解決しようとする課題】
【０００５】
ところで、上述した特許文献１に記載のようなビットシフトによるゲイン調整を実施する従来の構成では、ビットシフトによりゲイン調整されアナログ信号に変換された信号をアンプにて適宜増幅して出力させることも考えられるが、アンプを介して所望の出力レベルに増幅して出力すると、信号に含まれるノイズ分も相対的に増幅されて出力されることとなり、ノイズが低減されず、良好な再生状態が得られないなどの問題点が一例として挙げられる。【０００６】
本発明は、このような実情などに鑑みて、簡単な構成でデジタル信号を良好に出力手段で出力させるためのアナログ信号に適切に変換する増幅装置および情報処理装置を提供することを１つの目的とする。
【課題を解決するための手段】
【０００７】
本発明の増幅装置は、デジタル信号の情報を取得する情報取得手段と、情報に基づいてクロック信号を生成するクロック信号生成手段と、前記取得した情報をビットシフトにより所定の利得で増幅させるビットシフト手段と、前記クロック信号に同期して前記ビットシフト手段により増幅された前記情報をアナログ信号に変換する信号変換手段と、前記アナログ信号に変換された情報を所定の利得で増幅させて出力する増幅部と、前記ビットシフト手段で前記情報をビットシフトにより増幅させた利得分を差し引いた利得で前記増幅部にて前記アナログ信号に変換された情報を増幅させる制御をする制御手段と、を具備したことを特徴とする。【０００８】
本発明の情報処理装置は、入力操作で設定された出力状態で出力手段からデジタル信号の情報を出力させる情報処理装置であって、入力操作可能に設けられ入力操作に応じた操作信号を出力する操作手段と、前記操作信号に対応して前記デジタル信号の情報を処理するデジタル信号処理部と、このデジタル信号処理部で処理された前記デジタル信号の情報を処理する前述した本発明の増幅装置と、を具備したことを特徴とする。
【図面の簡単な説明】
【０００９】
【図１】本発明における実施の一形態に係る音響装置の概略構成を示すブロック図である。
【符号の説明】
【００１０】
１００…情報処理装置としての音響装置
１１０…操作手段としてのキーボードユニット
１４０…デジタル信号処理部
１５０…増幅装置としての増幅処理部
１５１…情報取得手段およびクロック生成手段として機能するインターフェース
１５２…ビットシフト手段としてのビットシフト部
１５３…信号変換手段としてのデジタル−アナログ（Ｄ／Ａ）変換部
１５４…増幅部としてのアンプ部
１５５…制御手段としての制御部
２００…出力手段としてのスピーカ
【発明を実施するための最良の形態】
【００１１】
以下、本発明の一実施の形態を図面に基づいて説明する。本実施の形態では、例えば音楽データや音声データなどの音データを処理する音響装置を例示するが、音響装置に限らず、例えば静止画像や映像などの画像データを処理する処理装置、アプリケーションソフトウェアやゲームプログラム、装置の制御プログラム、テキストデータなどの文字データなど、各種情報を処理する情報処理装置を対象とすることができる。また、デジタル信号の音データを処理する構成について説明するが、アナログ信号の音データをデジタル信号に変換した後に処理する構成にも適用できる。【００１２】
〔音響装置の構造〕
図１は、本実施の形態の音響装置の概略構成を示すブロック図である。【００１３】
図１において、１００は情報処理装置としての音響装置で、この音響装置１００は、デジタル信号の音データをアナログ信号に適宜変換し、適宜増幅させて音声出力させる処理をする。この音響装置１００は、例えばスピーカ２００が接続され、処理したアナログ信号の音データをスピーカ２００から音声出力させる。そして、音響装置１００には、操作手段としてのキーボードユニット１１０と、チューナモジュール１２０と、記録媒体メカモジュール（mechanical module）１３０と、デジタル信号処理部（Digital Signal Processor：ＤＳＰ）１４０と、増幅装置としての増幅処理部１５０と、システムマイコン（system microcomputer）部１６０と、を備えている。【００１４】
キーボードユニット１１０は、例えば図示しない筐体の正面に、入力操作可能に配設された複数の操作ボタンや操作つまみなどを備えている。これら操作ボタンや操作つまみなどの入力操作の内容としては、例えば音響装置１００の動作内容の設定などの設定事項である。具体的には、音声出力させる音データの選択、音データの音声出力状態の変更・設定などが例示できる。そして、キーボードユニット１１０は、システムマイコン部１６０に接続され、設定事項の入力操作により、この入力操作に応じた所定の操作信号をシステムマイコン部１６０へ出力し、設定事項を設定入力させる。なお、キーボードユニット１１０としては、操作ボタンや操作つまみなどの入力操作に限らず、例えば音響装置１００に別途設けられた表示装置のタッチパネルによる入力操作や、音声による入力操作、また入力操作されたリモートコントローラから出力される設定信号を受信して対応する操作信号を出力する構成など、各種設定事項を設定入力可能ないずれの構成が適用できる。【００１５】
チューナモジュール１２０は、基地局から出力される地上波デジタル信号や衛星デジタル信号などの各種電波を取得する。このチューナモジュール１２０は、キーボードユニット１１０で設定された所定の周波数帯の電波を受信し、この受信した所定の周波数帯の電波を適宜処理し、所定の放送局のテレビ（TV）放送番組やラジオ放送番組、衛星放送番組などのコンテンツデータを取得する。そして、チューナモジュール１２０は、ＤＳＰ１４０に接続され、取得したコンテンツデータをＤＳＰ１４０へ出力する。なお、チューナモジュール１２０としては、例えば地上波アナログ信号の電波を取得し、適宜デジタル信号に変換してＤＳＰへ出力する構成としてもよい。【００１６】
記録媒体メカモジュール１３０は、例えば、ＨＤ（Hard Disk）などの磁気ディスク、ＣＤ（Compact Disc）やＤＶＤ（Digital Versatile Disc）などの光ディスク、光磁気ディスク、メモリカードなどの各種記録媒体に記録された音データを読み取るドライブやドライバなどを備えている。なお、記録媒体メカモジュール１３０としては、音データやその付帯情報などを記録可能な構成としてもよい。また、記録媒体としては、着脱可能な構成の他、半導体メモリなどのように着脱不可能に備えた構成としてもよい。そして、記録媒体メカモジュール１３０は、ＤＳＰ１４０に接続され、読み取った音データをＤＳＰ１４０へ出力する。【００１７】
ＤＳＰ１４０は、チューナモジュール１２０や記録媒体メカモジュール１３０からコンテンツデータや音データを取得し、適宜処理する。すなわち、ＤＳＰ１４０には、システムマイコン部１６０が接続されている。そして、ＤＳＰ１４０は、システムマイコン部１６０から出力される制御信号に基づいて、チューナモジュール１２０や記録媒体メカモジュール１３０で所定のコンテンツデータや音データを取得させ、チューナモジュール１２０や記録媒体メカモジュール１３０からデジタル信号のコンテンツデータや音データを取得する。さらに、ＤＳＰ１４０は、システムマイコン部１６０から出力される制御信号に基づいて、音データを処理する。具体的には、音データをスピーカ２００から出力させる音量や音質の状態などのキーボードユニット１１０で入力された設定事項に応じて音データを処理する。そして、ＤＳＰ１４０は、処理したデジタル信号のコンテンツデータや音データを、増幅処理部１５０へ出力する。【００１８】
増幅処理部１５０は、ＤＳＰ１４０から出力されるデジタル信号の音データを取得し、適宜処理してアナログ信号として出力させる。すなわち、増幅処理部１５０は、音データに含まれるノイズ分を、キーボードユニット１１０で入力した除去する割合についての設定事項に応じて除去する処理をし、アナログ信号として適宜増幅して出力させる。この増幅処理部１５０は、情報取得手段およびクロック生成手段として機能するインターフェース（Interface：Ｉ／Ｆ）部１５１と、ビットシフト手段としてのビットシフト部１５２と、信号変換手段としてのデジタル−アナログ（Digital-Analog：Ｄ／Ａ）変換部１５３と、増幅部としてのアンプ部１５４と、制御手段としての制御部１５５と、を備えている。【００１９】
Ｉ／Ｆ部１５１は、ＤＳＰ１４０から出力されるデジタル信号の音データを取得する。そして、Ｉ／Ｆ部１５１は、例えば取得した音データに含まれるクロック信号を抽出したり、音データの付帯情報に基づいてクロック信号を抽出したりするなどしてクロック信号を生成し、Ｄ／Ａ変換部へ出力する。また、Ｉ／Ｆ部１５１は、音データから楽曲部分や音声部分などの出力させるデータ部分を抽出して情報であるデータ信号として出力する。【００２０】
ビットシフト部１５２は、Ｉ／Ｆ部１５１に接続され、Ｉ／Ｆ部１５１から出力される音データのデータ信号を取得し、ビットシフトにより増幅させる処理をする。すなわち、ビットシフト部１５２は、制御部１５５に接続され、制御部１５５から出力される制御信号に基づいて、デジタル信号のデータ信号を所定のシフト量でビットシフトさせる。このシフト量は、キーボードユニット１１０で入力されたノイズ分を削除する割合についての設定事項に応じてシステムマイコン部１６０から出力された制御信号を制御部１５５が認識し、この制御信号に対応してノイズ分を削除するための制御信号が制御部１５５から出力されることで設定される。具体的には、データ信号を１ビット分シフトすることで２倍すなわち約＋６ｄＢ分の利得であるゲインが得られ、２ビット分シフトさせることで約＋１２ｄＢ、３ビット分シフトさせることで約＋１８ｄＢのゲインが得られるので、設定事項に対応してシフト量を設定してデジタル的にデータ信号をブースト、すなわち増幅させる。このビットシフトにより増幅されたデータ信号は、Ｄ／Ａ変換部１５３へ出力される。【００２１】
Ｄ／Ａ変換部１５３は、Ｉ／Ｆ部１５１およびビットシフト部１５２に接続され、Ｉ／Ｆ部１５１から出力されるクロック信号を取得するとともに、ビットシフト部１５２から出力されるデータ信号を取得する。そして、Ｄ／Ａ変換部１５３は、クロック信号に基づいてデータ信号をアナログ信号に変換して順次出力する。【００２２】
アンプ部１５４は、Ｄ／Ａ変換部１５３に接続され、このＤ／Ａ変換部１５３から出力されるアナログ信号のデータ信号を、ビットシフトのシフト量に対応して適宜増幅させる処理をする。すなわち、アンプ部１５４は、制御部１５５に接続されて制御され、増幅させるゲイン量を切り替えるゲイン切り替え部１５４Ａを有している。そして、アンプ部１５４は、制御部１５５からの制御信号に基づいて、アナログ信号のデータ信号を、あらかじめ設定されたゲインを維持する状態に、所定のゲイン量で増幅させる。具体的には、例えばアンプ部１５４のゲインが＋２６ｄＢに設定されている場合、ビットシフト部１５２でビットシフトさせたゲイン量が＋６ｄＢの際には＋２０ｄＢのゲインとし、ビットシフトによるゲインが＋１２ｄＢの際には＋１４ｄＢのゲインとし、ビットシフトによるゲインが＋１８ｄＢの際には＋８ｄＢのゲインで増幅させるなど、トータルのゲインが設定されたゲイン量に保持されるように、設定されたゲイン量からビットシフトによるゲイン量を差し引いたゲイン量で増幅させる処理をする。そして、適宜増幅されたアナログ信号のデータ信号は、スピーカ２００が接続される図示しない出力端子からスピーカ２００へ出力される状態にアンプ部１５４から出力される。【００２３】
制御部１５５は、例えばＣＰＵ（Central Processing Unit）などを備え、システムマイコン部１６０に接続されている。そして、制御部１５５は、キーボードユニット１１０で入力されたノイズの除去割合に関する設定事項に応じてシステムマイコン部１６０から出力される所定の制御信号を認識し、ビットシフト部１５２およびアンプ部１５４のゲイン切り替え部１５４Ａを制御し、ＤＳＰ１４０でデジタル処理した音データを適宜処理してアナログ信号として出力させる制御をする。具体的には、制御部１５５は、キーボードユニット１１０の入力操作にてノイズの除去割合が小さい設定である場合、ビットシフト部１５２でビットシフトさせるシフト量を小さく設定し、ノイズの除去割合が大きい設定である場合、ビットシフト部１５２でビットシフトさせるシフト量を大きく設定する。そして、制御部１５５は、システムマイコン部１６０から出力される制御信号に基づいて、設定するシフト量でビットシフト部１５２を制御してビットシフト処理させる制御信号を出力する。さらに、制御部１５５は、ビットシフト部１５２でビットシフト処理させるシフト量に基づいて、アンプ部１５４のゲイン切り替え部１５４Ａを制御して、ビットシフトさせるシフト量に対応してゲインさせる量を設定し、この設定したゲイン量でアンプ部１５４にてアナログ信号のデータ信号を増幅させる処理を実施させる制御信号を出力する。【００２４】
システムマイコン部１６０は、例えばＣＰＵなどを備え、各種プログラムに基づいて、音響装置１００全体を動作制御する。具体的には、例えばキーボードユニット１１０で入力操作されスピーカ２００から出力させる音データを特定する操作信号を取得し、この操作信号に基づいてチューナモジュール１２０で対応する音データを受信させたり、記録媒体メカモジュール１３０で記録媒体に記録された対応する音データを読み取らせたりする制御をする。また、例えばキーボードユニット１１０で入力操作されスピーカ２００から出力させる音データの出力状態に関する設定内容、例えば音量や音質などの設定内容に関する操作信号を取得すると、ＤＳＰ１４０を適宜制御してデジタル信号の音データをデジタル処理させる制御をする。さらに、例えばキーボードユニット１１０で入力操作されスピーカ２００から出力させる音データのノイズの除去割合に関する操作信号を取得すると、増幅処理部１５０の制御部１５５に所定のノイズ除去処理、すなわちビットシフト部１５２で適宜ビットシフト処理させるとともにアンプ部１５４のゲイン切り替え部１５４Ａでアナログ信号のデータ信号を所定のゲインで増幅させる処理を制御させる制御信号を出力する。その他、例えば音響装置１００に表示装置などが設けられている場合には、音データの処理状況や出力状態などを画面表示させる制御なども実施可能である。【００２５】
〔音響装置の動作〕
次に、上記実施の一形態における音響装置１００の動作として、音データをスピーカ２００から音声出力させる再生処理動作について説明する。【００２６】
まず、利用者により電源スイッチの操作などにより電力が供給されると、システムマイコン部１６０は、初期設定を実施し、その後、キーボードユニット１１０における設定事項の入力操作待機状態、すなわちキーボードユニット１１０から入力操作に応じた操作信号の取得待機状態となる。そして、システムマイコン部１６０は、キーボードユニット１１０から、例えば再生させる音データを特定する操作信号を取得すると、音データが放送波によるものか記録媒体に記録されたものかを操作信号に基づいて判断し、チューナモジュール１２０か記録媒体メカモジュール１３０かを判断する。そして、放送波である場合にはチューナモジュール１２０にて特定された音データを配信する所定の周波数の放送波を受信させる制御をする。一方、記録媒体に記録された音データである場合には、記録媒体メカモジュール１３０を制御し、記録媒体から対応する音データを読み取らせる制御をする。【００２７】
そして、システムマイコン部１６０は、チューナモジュール１２０で受信した音データあるいは記録媒体メカモジュール１３０で読み取った音データをＤＰＳ１４０へ出力させてデジタル処理させる制御をする。すなわち、システムマイコン部１６０は、ＤＳＰ１４０を制御し、音データをスピーカ２００から出力させる音量や音質の状態などのキーボードユニット１１０で入力された設定事項に応じて音データをデジタル処理させる制御をする。このＤＳＰ１４０でデジタル処理された音データは、増幅処理部１５０へ順次出力される。そして、増幅処理部１５０は、ＤＳＰ１４０から出力された音データを、Ｉ／Ｆ部１５１で処理し、クロック信号を抽出してＤ／Ａ変換部１５３へ出力するとともに、データ信号を抽出してビットシフト部１５２へ出力する。【００２８】
また、システムマイコン部１６０は、キーボードユニット１１０で入力されたノイズの除去割合に関する設定事項に応じて、増幅処理部１５０の制御部１５５へノイズを適宜除去させる制御信号を出力する。このシステムマイコン部１６０から出力される制御信号により、制御部１５５は、ビットシフト部１５２を制御し、Ｉ／Ｆ部１５１から取得したデータ信号を設定事項に対応して設定したシフト量でビットシフトする処理を実施させる。このビットシフトされたデータ信号は、Ｄ／Ａ変換部１５３へ順次出力される。そして、Ｄ／Ａ変換部１５３では、Ｉ／Ｆ部１５１から出力されるクロック信号に基づいて、ビットシフト処理されたデータ信号をアナログ信号に変換してアンプ部１５４へ順次出力する。また、制御部１５５は、システムマイコン部１６０から出力される制御信号により、ビットシフト部１５２でビットシフト処理させるシフト量に基づいて、アンプ部１５４のゲイン切り替え部１５４Ａを制御して、ビットシフトさせるシフト量に対応してゲインさせる量を設定し、この設定したゲイン量でアンプ部１５４にてＤ／Ａ変換部１５３から出力されるアナログ信号のデータ信号を増幅させる処理を実施させる。具体的には、ビットシフト部１５２でビットシフトさせたゲイン量が＋６ｄＢの際には＋２０ｄＢのゲインとし、ビットシフトによるゲインが＋１２ｄＢの際には＋１４ｄＢのゲインとし、ビットシフトによるゲインが＋１８ｄＢの際には＋８ｄＢのゲインで増幅させるなど、あらかじめアンプ部１５４で設定されたゲイン量に保持される状態に、設定したゲイン量でＤ／Ａ変換部１５３から出力されるアナログ信号のデータ信号を増幅させる処理をする。このようにして処理、すなわちノイズ分が適宜除去されたアナログ信号のデータ信号が、アンプ部１５４からスピーカ２００が接続される図示しない出力端子へ出力される。【００２９】
〔音響装置の作用効果〕
上述したように、上記実施の形態では、Ｉ／Ｆ部１５１で取得したデジタル信号の音データからクロック信号およびデータ信号を抽出し、制御部１５５により、データ信号をビットシフト部１５２で入力操作に応じてビットシフトさせるとともに、Ｄ／Ａ変換部１５３でクロック信号に同期してビットシフトされたデータ信号をアナログ信号に変換し、このアナログ信号に変換されたデータ信号をビットシフトによるゲイン分を、アンプ部１５４であらかじめ設定されたゲインから差し引いた分、すなわちあらかじめ設定されたゲインに保持される状態にゲイン切り替え部１５４Ａでゲイン量を切り替えて増幅させている。このことにより、ビットシフト部１５２でデジタル処理によるブーストがデータ処理が容易なビットシフトで実施し、このブーストに対応してアンプ部１５４におけるアナログ処理にて増幅させるので、アンプ部１５４のデジタル処理に対応したアナログ処理を実施するための構成を簡略化でき、ハードウェアとしての構成が簡略化でき、小型化や製造性の向上、コストの低減などが容易に図れる。さらに、単にビットシフトにより増幅してアナログ信号に変換されたデータ信号を、あらかじめ設定されたゲインで増幅させることにより、相対的にノイズ分が増幅されることなく、適切にノイズ分を除去できる。すなわち、アンプ部１５４のゲインを変更可能な構成として、デジタル処理部分におけるビットシフトによる増幅と相殺する状態でデータ信号の出力レベルは変更せず、デジタル処理部分におけるノイズ増幅量が抑えられ、ノイズの割合すなわちＳ／Ｎ比（Signal to Noise ratio）を向上できる。【００３０】
また、アンプ部１５４は、あらかじめゲインが設定され、この設定されたゲインを保持する状態にゲイン切り替え部１５４Ａでゲイン量を変更して増幅させている。このため、上述したように、簡単な構成でデジタル信号の音データを良好にノイズ分を低減してアナログ信号のデータ信号に変換できる。【００３１】
さらに、制御部１５５は、入力操作にて設定されたノイズの除去割合に応じてビットシフトのシフト量と、このシフト量にて増幅される分を相殺する状態にアンプ部１５４で増幅させるゲインを変更するので、簡単な構成で良好にノイズを除去できる。さらには、利用者の所望する設定に応じてノイズの除去処理を実施するので、使い勝手も向上できる。【００３２】
〔実施の形態の変形〕
なお、本発明は、上述した実施の一形態に限定されるものではなく、本発明の目的を達成できる範囲で以下に示される変形をも含むものである。【００３３】
すなわち、放送波を受信するチューナモジュール１２０および記録媒体から情報を読み取る記録媒体メカモジュール１３０を備えた音響装置１００を例示して説明したが、例えばチューナモジュール１２０および記録媒体メカモジュール１３０は、別体構成とし、これら別体のチューナモジュール１２０で受信して出力される情報や記録媒体メカモジュール１３０で読み取って出力される情報を取得して処理する音響装置などとしてもよい。さらには、増幅処理部１５０を独立した装置構成とし、ＤＳＰ１４０を備えた別体の装置から出力されるデジタル信号を取得して処理する装置構成とするなどしてもよい。【００３４】
また、音データからクロック信号を抽出して説明したが、例えばパルス信号に基づいて時刻を計時する計時手段からのパルス信号や、発振器などから出力される周波数に基づくクロック信号を生成し、このクロック信号に同期して、ＤＳＰ１４０から取得する音データをビットシフト処理したり、アナログ信号に変換したりするなどしてもよい。【００３５】
そして、上述したように、デジタル信号の音データをアナログ信号に変換する構成に限らず、処理対象としては、静止画像や映像などの画像データ、アプリケーションソフトウェアやゲームプログラム、装置の制御プログラム、テキストデータなどの文字データなど、各種情報に適用できる。また、上述したように、例えばチューナモジュール１２０でアナログ信号を受信してデジタル信号に変換したのちにＤＳＰ１４０で処理するなど、アナログ信号をデジタル信号に変換して増幅処理部１５０で処理するなど、デジタル信号の情報のみを対象としなくても、増幅処理部１５０で処理する情報がデジタル信号の状態であればよい。【００３６】
その他、本発明の実施の際の具体的な構造および手順は、本発明の目的を達成できる範囲で他の構造などに適宜変更できる。【００３７】
〔実施の形態の効果〕
上述したように、Ｉ／Ｆ部１５１で取得したデジタル信号の音データからクロック信号およびデータ信号を抽出し、制御部１５５により、データ信号をビットシフト部１５２で入力操作に応じてビットシフトさせるとともに、Ｄ／Ａ変換部１５３でクロック信号に同期してアナログ信号に変換されたデータ信号を、ビットシフトによるゲイン分をアンプ部１５４であらかじめ設定されたゲインから差し引いた分、すなわちあらかじめ設定されたゲインに保持される状態にゲイン切り替え部１５４Ａでゲイン量を切り替えて増幅させる。このため、ビットシフト部１５２でデジタル処理によるブーストがデータ処理が容易なビットシフトで実施し、このブーストに対応してアンプ部１５４におけるアナログ処理にて増幅させるので、アンプ部１５４のデジタル処理に対応したアナログ処理を実施するための構成を簡略化できる。さらに、単にビットシフトにより増幅してアナログ信号に変換されたデータ信号を、あらかじめ設定されたゲインで増幅させることにより、相対的にノイズ分が増幅されることなく、適切にノイズ分を除去できる。したがって、デジタル信号の音データを簡単な構成で良好にアナログ信号に変換できる。
【産業上の利用可能性】
【００３８】
本発明は、デジタル信号の情報をアナログ信号の状態で出力させる増幅装置および情報処理装置に利用できる。
【図１】
2006106672.tif 000002
【手続補正書】
【提出日】平成19年1月24日(2007.1.24)
【手続補正１】
【補正対象書類名】特許請求の範囲
【補正対象項目名】全文
【補正方法】変更
【補正の内容】
【書類名】請求の範囲
【請求項１】デジタル信号の情報を取得する情報取得手段と、
クロック信号を生成するクロック信号生成手段と、
前記取得したデジタル信号の情報をビットシフトにより増幅するビットシフト手段と、
前記生成されたクロック信号に同期して、前記ビットシフト手段により増幅された前記デジタル信号の情報をアナログ信号の情報に変換する変換手段と、
前記変換されたアナログ信号の情報を増幅して出力する増幅手段と、
出力手段から出力させる前記情報のノイズを除去する割合に関して設定された設定信号に基づいて前記ビットシフト手段で増幅させる利得を設定するとともに、前記設定した利得分を差し引いた利得を前記増幅手段で増幅させる利得として設定する制御手段と、
を具備したことを特徴とした増幅装置。
【請求項２】請求項１に記載の増幅装置であって、
前記制御手段は、前記ノイズを除去する割合が大きく設定されている場合には前記ビットシフト手段で増幅させる利得を大きく設定し、前記ノイズを除去する割合が小さく設定されている場合には前記ビットシフト手段で増幅させる利得を小さく設定する
ことを特徴とした増幅装置。
【請求項３】（削除）
【請求項４】入力操作で設定された出力状態で出力手段からデジタル信号の情報を出力させる情報処理装置であって、
入力操作可能に設けられ入力操作に応じた操作信号を出力する操作手段と、
前記操作信号に対応して前記デジタル信号の情報を処理するデジタル信号処理手段と、
このデジタル信号処理手段で処理された前記デジタル信号の情報を増幅する請求項１または請求項２に記載の増幅装置と、
を具備したことを特徴とした情報処理装置。
【手続補正２】
【補正対象書類名】明細書
【補正対象項目名】０００２
【補正方法】変更
【補正の内容】
【０００２】
［０００７］
本発明の増幅装置は、デジタル信号の情報を取得する情報取得手段と、クロック信号を生成するクロック信号生成手段と、前記取得したデジタル信号の情報をビットシフトにより増幅するビットシフト手段と、前記生成されたクロック信号に同期して、前記ビットシフト手段により増幅された前記デジタル信号の情報をアナログ信号の情報に変換する変換手段と、前記変換されたアナログ信号の情報を増幅して出力する増幅手段と、出力手段から出力させる前記情報のノイズを除去する割合に関して設定された設定信号に基づいて前記ビットシフト手段で増幅させる利得を設定するとともに、前記設定した利得分を差し引いた利得を前記増幅手段で増幅させる利得として設定する制御手段と、を具備したことを特徴とする。
［０００８］
本発明の情報処理装置は、入力操作で設定された出力状態で出力手段からデジタル信号の情報を出力させる情報処理装置であって、入力操作可能に設けられ入力操作に応じた操作信号を出力する操作手段と、前記操作信号に対応して前記デジタル信号の情報を処理するデジタル信号処理手段と、このデジタル信号処理手段で処理された前記デジタル信号の情報を増幅する前述した本発明の増幅装置と、を具備したことを特徴とする。
【図面の簡単な説明】
［０００９］
［図１］本発明における実施の一形態に係る音響装置の概略構成を示すブロック図である。
【符号の説明】
［００１０］
１００…情報処理装置としての音響装置
１１０…操作手段としてのキーボードユニット
１４０…デジタル信号処理部
１５０…増幅装置としての増幅処理部
１５１…情報取得手段およびクロック生成手段として機能するインターフェース
１５２…ビットシフト手段としてのビットシフト部
１５３…信号変換手段としてのデジタル−アナログ（Ｄ／Ａ）変換部
１５４…増幅部としてのアンプ部
１５５…制御手段としての制御部
２００…出力手段としてのスピーカ
【国際調査報告】
2006106672.tif 000003
2006106672.tif 000004
2006106672.tif 000005
2006106672.tif 000006